(57)【要約】【課題】インクジェット印刷装置において、印刷された二次元コードが拍車跡によって汚れる可能性がなくなり、二次元コードリーダによる読み取り不良がなくなるインクジェット印刷装置およびその制御方法を提供することを目的とする。【解決手段】文字や記号を入力する入力手段と、この入力手段から入力された文字や記号のデータを符号化し、縦横に展開して二次元コードを生成する手段と、上記二次元コードを記録媒体に印刷する印刷手段と、上記記録媒体を排出する拍車とを有する印刷装置において、上記記録媒体上の位置であって、上記拍車が通過しない位置に、上記二次元コードを印刷させる印刷制御手段を有することを特徴とするインクジェット印刷装置である。【選択図】図２
2007144636.tif 000002
【特許請求の範囲】
【請求項１】
文字や記号を入力する入力手段と、この入力手段から入力された文字や記号のデータを符号化し、縦横に展開して二次元コードを生成する手段と、上記二次元コードを記録媒体に印刷する印刷手段と、上記記録媒体を排出する拍車とを有する印刷装置において、
上記記録媒体上の位置であって、上記拍車が通過しない位置に、上記二次元コードを印刷させる印刷制御手段を有することを特徴とするインクジェット印刷装置。
【請求項２】
請求項１において、
上記二次元コードの幅を、上記拍車が通過する間隔よりも小さくすることを特徴とするインクジェット印刷装置。
【請求項３】
文字や記号を入力する入力手段と、この入力手段から入力された文字や記号のデータを符号化し、縦横に展開して二次元コードを生成する手段と、上記二次元コードを記録媒体に印刷する印刷手段と、上記記録媒体を排出する拍車とを有する印刷装置の制御方法において、
上記記録媒体上の位置であって、上記拍車が通過しない位置に、上記二次元コードを印刷させる印刷制御工程を有することを特徴とするインクジェット印刷装置の制御方法。
【請求項４】
文字や記号を入力する入力手段と、この入力手段から入力された文字や記号のデータを符号化し、縦横に展開して二次元コードを生成する手段と、上記二次元コードを記録媒体に印刷する印刷手段と、上記記録媒体を排出する拍車とを有する印刷装置の制御方法において、
上記記録媒体上の位置であって、上記拍車が通過しない位置に、上記二次元コードを印刷させる印刷制御工程を有することを特徴とするインクジェット印刷装置の制御方法。
【発明の詳細な説明】
【技術分野】
【０００１】
本発明は、外部装置から文字データを受信し、上記二次元コードを印刷する印刷装置およびその制御方法に関する。
【背景技術】
【０００２】
従来、外部装置から文字データを受信し、上記文字情報を符号化し、縦横に展開した二次元コードに変換し、上記変換した二次元コードを記録媒体上に配置し、印刷する印刷装置が知られている（たとえば、特許文献１、２参照）。
【特許文献１】特開２００３−１５４７７４号公報
【特許文献２】特開２００３−１５４７７号公報
【発明の開示】
【発明が解決しようとする課題】
【０００３】
インクジェット印刷装置には、記録媒体の排出機構に拍車が設けられ、記録媒体にインクを吐出して記録するので、吐出した記録面を拍車が通過すると、外気等の条件によっては、記録媒体に拍車跡がつく場合がある。
【０００４】
特に、二次元コードの印刷部に汚れが付着すると、二次元コードを読み取る場合、上記汚れが原因で解読できないことがあるという問題がある。
【０００５】
二次元コードが所望通りに印刷できなかった場合の対応方法として、特開平１０−１８１１０６号公報に記載されている発明のように、バーコードを印刷する紙面の背景の影響を受けない別な場所に印刷する方法が取られている。しかし、特開平１０−１８１１０６号公報に記載されている発明では、記録媒体の排出機構に拍車の位置を考慮したものではないので、二次元コードの印刷部に汚れが付着することがあり得る。
【０００６】
本発明は、インクジェット印刷装置において、印刷された二次元コードが拍車跡によって汚れる可能性がなくなり、二次元コードリーダによる読み取り不良がなくなるインクジェット印刷装置およびその制御方法を提供することを目的とする。
【課題を解決するための手段】
【０００７】
本発明は、文字や記号を入力する入力手段と、この入力手段から入力された文字や記号のデータを符号化し、縦横に展開して二次元コードを生成する手段と、上記二次元コードを記録媒体に印刷する印刷手段と、上記記録媒体を排出する拍車とを有する印刷装置において、上記記録媒体上の位置であって、上記拍車が通過しない位置に、上記二次元コードを印刷させる印刷制御手段を有することを特徴とするインクジェット印刷装置である。
【発明の効果】
【０００８】
本発明によれば、拍車通過位置にかからないように、二次元コードを配置するので、二次元コードが拍車跡によって汚れる可能性がなくなり、二次元コードリーダによる読み取り不良がなくなるという効果を奏する。
【発明を実施するための最良の形態】
【０００９】
発明を実施するための最良の形態は、次の実施例である。
【実施例１】
【００１０】
図１は、本発明の実施例１であるインクジェット印刷装置１００を示す斜視図である。
【００１１】
インクジェット印刷装置１００は、キャリッジ５と、電気的接続部７と、ガイド軸９と、軸受け１１と、タイミングベルト１３と、プーリ１５Ａ、１５Ｂを有する。さらに、キャリッジモータ１７と、搬送ローラ１９と、紙送りモータ２０と、ＬＦギア２１と、ピンチローラ２３と、拍車２５と、拍車ホルダ２７と、ガイドレール２９とを有する。
【００１２】
キャリッジ５は、不図示の記録ヘッドを搭載して主走査方向へ移動する。電気的接続部７は、上記記録ヘッドと装置本体側の制御部とを接続するためのフレキシブルケーブルに電気的に接続されて、上記記録ヘッドと上記制御部との電気的接続を行う。
【００１３】
ガイド軸９は、キャリッジ５を走査案内するガイド軸であり、キャリッジ５の軸受け１１に挿通されている。タイミングベルト１３は、キャリッジ５を走査させるタイミングベルトであり、装置両側部に配置されたプーリ１５Ａ、１５Ｂに張架されている。
【００１４】
ここで、一方のプーリ１５Ｂには、キャリッジモータ１７からの動力が伝達され、必要に応じて、駆動力が伝達される。
【００１５】
搬送ローラ１９は、記録紙４の記録面側を規制するとともに、記録等に際してこれを搬送する搬送ローラであり、ステッピングモータである紙送りモータ２０からの駆動力を不図示のギア列を介して、上記搬送ローラの一端に圧入したＬＦギア２１に伝達する。
【００１６】
ピンチローラ２３は、記録紙４の送給経路途中に配設されて、不図示のピンチローラバネにより記録紙４を上記搬送ローラに向けて押圧し、これを搬送する。拍車２５は、拍車ホルダ２７に回動可能に軸支されるとともにガイドレール２９に組み付けられた金属製の拍車であり、所定の間隔で配置されている。
【００１７】
記録紙４の記録面側に記録される二次元コードの記録位置を規制し、上記記録ヘッドに構成されたインク吐出口と記録紙４の記録面との距離を、拍車２５が精度良く所定の距離に保っている。
【００１８】
インクジェット方式の記録において、記録紙４上に吐出された乾燥前の液体インクと上記搬送手段とが当接し、上記インクが搬送手段に付着すると、この搬送手段に付着したインクが、搬送と共に、記録紙４に転写されるという不具合が生じる。この不具合を最小限に抑えるために、記録紙４の排出側に搬送手段として、拍車２５を設けている。
【００１９】
なお、記録紙４は、記録媒体の例である。
【００２０】
図２は、実施例１において、記録紙４上を通過する拍車２５の位置を示す図である。
【００２１】
図２において、記録紙４における拍車２５の通過位置２を破線で示してある。拍車２５の跡が発生する可能性がある位置は、通過位置２であり、二次元コード３を、拍車２５の通過位置２から外れた領域に配置すれば、上記二次元コード３が拍車２５の跡によって汚れる可能性がなくなる。また、記録紙４のサイズが変わっても、拍車２５の通過位置２は、記録紙基準位置１から一定である。
【図面の簡単な説明】
【００２２】
【図１】本発明の実施例１であるインクジェット印刷装置１００を示す斜視図である。
【図２】実施例１において記録紙４上を通過する拍車２５の位置を示す図である。
【符号の説明】
【００２３】
１００…インクジェット印刷装置、
１…記録紙基準位置、
２…拍車通過位置、
３…二次元コード、
４…記録紙、
５…キャリッジ、
２５…拍車。
【図１】
2007144636.tif 000003
【図２】
2007144636.tif 000004